(57)【要約】【課題】本発明は、移動体通信システムの制御方法に関し、第２のデータベース方式において、加入者プロファイルのダウンロードの回数を減らして第１のデータベース及び第２のデータベースの処理負荷を軽減させることができる移動体通信システムの制御方法を提供することを目的としている。【解決手段】第１のデータベースに格納された加入者プロファイルを第２のデータベースにダウンロードして、該第２のデータベースに対応する基地局を介した通信の処理を行なう移動体通信システムの制御方法において、加入者端末の在圏情報を収集し（ステップ１）、前記在圏情報により在圏回数又は在圏時間が所定の数を超えるエリアの基地局に対応する第２のデータベースに対して前記加入者端末に関する加入者プロファイルを第１のデータベースからダウンロードする（ステップ２）ように構成する。【選択図】　　　図１
2004032643.tif 000002
【特許請求の範囲】
【請求項１】
第１のデータベースに格納された加入者プロファイルを第２のデータベースにダウンロードして、該第２のデータベースに対応する基地局を介した通信の処理を行なう移動体通信システムの制御方法において、
加入者端末の在圏情報を収集し（ステップ１）、
前記在圏情報により在圏回数又は在圏時間が所定の数を超えるエリアの基地局に対応する第２のデータベースに対して前記加入者端末に関する加入者プロファイルを第１のデータベースからダウンロードする（ステップ２）、
ことを特徴とする移動体通信システムの制御方法。
【請求項２】
第１のデータベースと複数の第２のデータベースが接続されたシステムにおいて、
第１のデータベースにて加入者の第２のデータベースの移動経路と移動時間を解析することにより、次に移動する第２のデータベースを予測し（ステップ１）、
該当する第２のデータベースに対して加入者プロファイルをダウンロードする（ステップ２）、
ことを特徴とする移動体通信システムの制御方法。
【請求項３】
第１のデータベースに格納された加入者プロファイルを第２のデータベースにダウンロードして、該第２のデータベースに対応する基地局を介した通信の処理を行なう移動体通信システムの制御方法であって加入者端末が他の第２のデータベースに対応するエリアに移動したことを検出すると移動前におけるエリアに対応する第２のデータベースについて該端末の加入者データの保持を保証しないものにおいて、
ある加入者端末について在圏回数、在圏時間が所定の基準を超えるエリアに対応する第２のデータベースを特定し（ステップ１）、
該特定された第２のデータベースにダウンロードした該加入者端末の加入者プロファイルについては該端末が他の第２のデータベースに対応するエリアに移動したことを検出しても記憶を保持する（ステップ２）、
ことを特徴とする移動体通信システムの制御方法。
【請求項４】
システムの処理負荷が所定の基準を下まわる場合に、前記第２のデータベースへのダウンロードを行なうことを特徴とする請求項１乃至３の何れかに記載の移動体通信システムの制御方法。
【発明の詳細な説明】
【０００１】
【発明の属する技術分野】
本発明は、移動体通信通信システムの制御方法に関し、更に詳しくは３ＧＰＰ（３ｒｄ　Ｇｅｎｅｒａｔｉｏｎ　Ｐａｒｔｎｅｒｓｈｉｐ　Ｐｒｏｊｅｃｔ）が策定する技術仕様に準拠したＩＭＴ−２０００システムに適応されるものである。
【０００２】
ＩＭＴ−２０００システムは今後の移動体通信システムの要であるが、実績が乏しく、改良の余地が多々ある。特に、今後増大するであろう高速移動する移動機に対応するためには、現在のシステムからより一層の高速化及び効率的な資源配備が必要となる。なお、本明細書で示す略語は、特に記述がないかぎり、上記技術仕様に記載されている一般的な語句である。
【０００３】
【従来の技術】
移動体システムが固定網のシステムと異なり、移動端末（ユーザ端末）が固定されておらず移動するため、固定網のシステムにおける加入者プロファイル管理に加えて、ユーザ端末の位置を把握するための移動管理という技術が必要になる。ここで、加入者プロファイルとは、加入者情報（加入者の電話番号、加入条件等）のことである。移動管理の手法には、大きく分けて次の２種類の方法がある。
▲１▼ＨＬＲ方式
ＨＬＲとは、Ｈｏｍｅ　Ｌｏｃａｔｉｏｎ　Ｒｅｇｉｓｔｅｒ（ホーム・ロケーション・レジスタ）の略である。この方式は、加入者プロファイルを、ユーザ端末の位置にかかわらず１箇所で管理する方法である。図１１はＨＬＲ方式の説明図である。図において、１はＨＬＲ、２は該ＨＬＲ１に設けられた加入者プロファイルである。３は交換機（無線基地局を含む）、４は該交換機３と無線でやりとりを行なう移動端末である。Ｚは、無線通信が可能な無線ゾーンである。図では、交換機３が２個、移動端末４が１個の場合を示したが、これに限るものではなく、交換機３も、移動端末４も更に多数設けることができる。特に、移動端末４は１個の交換機３に対して、同一無線ゾーンＺ内に複数が存在する。
【０００４】
このＨＬＲ方式は、加入者プロファイル２を移動端末４の位置にかかわらず、１箇所で管理する方式であり、この方式では、加入者プロファイル２は、常にＨＬＲにあるため、移動端末４が移動しても加入者プロファイル２の転送は起こらない。但し、交換機３は移動端末４からの発呼要求を受け付けると、加入者プロファイル２を参照するため、呼毎にＨＬＲにアクセスする必要がある。前述したＩＭＴ−２０００網ではこの方法を採用している。
▲２▼ＶＬＲ方式
ＶＬＲとはＶｉｓｔｏｒ　Ｌｏｃａｔｉｏｎ　Ｒｅｇｉｓｔｅｒ（ビジタ・ロケーション・レジスタ）の略である。この方式は、加入者プロファイルを各交換機毎に持つようにしたものである。従って、ＨＬＲからＶＬＲ側に加入者プロファイルをダウンロードさせる必要がある。図１２はＶＬＲ方式の説明図である。図１１と同一のものは、同一の符号を付して示す。図において、１はＨＬＲ、２は該ＨＬＲ１に設けられた加入者プロファイル、３は交換機、３’は該交換機３に設けられたＶＬＲ、４は移動端末、２’は交換機３に設けられた加入者プロファイルである。前記加入者プロファイル２’は、ＶＬＲ３’内に格納される。
【０００５】
この方式は、加入者プロファイル２を移動端末４の在圏するノード（ＶＬＲ）３’にダウンロードする方式である。図では、ノード３’と交換機３を一体として示している。この方式では、加入者プロファイル２’は、常に在圏する交換機３のＶＬＲに存在するため、移動端末４からの発呼要求を受けた交換機３は、自局に格納された加入者プロファイル２’を参照するだけで、呼毎にＨＬＲへアクセスする必要がない。但し、移動端末４の移動に伴い、加入者プロファイルを在圏する交換機３のＶＬＲ３’にダウンロードする必要がある。前述した日本では、ＰＤＣ（２Ｇシステム）が採用している。
【０００６】
前述したＨＬＲ方式とＶＬＲ方式には、メリット、デメリットがあるが、運用形態により選択されている。現在のＩＭＴ−２０００網では、ＶＬＲ方式を採用している。図１２に示したように、ＶＬＲ方式では、位置登録時に加入者が在圏するＶＬＲにのみ、ＨＬＲより加入者プロファイルをダウンロードしており、長い時間在圏していても、短い時間在圏していても、在圏するＶＬＲが変わる度にＨＬＲよりＶＬＲに対して加入者プロファイルのダウンロードが実施されるため、加入者の移動する頻度が多いほどダウンロードの回数が増加することになる。また、ＨＬＲ上の加入者プロファイル２の変更時にも、加入者が在圏するＶＬＲのみに加入者プロファイルがダウンロードされる。
【０００７】
【発明が解決しようとする課題】
前述したＶＬＲ方式の問題点として、加入者が長時間同一のＶＬＲに在圏する場合は、ＨＬＲからＶＬＲ３’への加入者プロファイルのダウンロードはほとんど行なわれないが、頻繁に移動する加入者は、在圏するＶＬＲ３’が切り替わる度にＨＬＲからＶＬＲ３’への加入者プロファイルのダウンロードが行なわれ、システムの処理負荷が増大する要因となっている。
【０００８】
また、例えば電車による大量の加入者の移動により、在圏するＶＬＲが変わる場合等は、電車で移動した加入者分の加入者プロファイルのダウンロードが一斉に行なわれ、特に問題となる。これは、加入者がＶＬＲ３’を移動しなければ、ＶＬＲへのダウンロードを実施しないため、ＶＬＲを移動した瞬間に一斉にダウンロードが実施されるところに問題がある。
【０００９】
本発明はこのような課題に鑑みてなされたものであって、ＶＬＲ（第２のデータベース）方式において、加入者プロファイルのダウンロードの回数を減らしてＨＬＲ（第１のデータベース）及びＶＬＲ（第２のデータベース）の処理負荷を軽減することができる移動体通信システムの制御方法を提供することを目的としている。
【００１０】
【課題を解決するための手段】
本発明では、ここで、第１のデータベース（例えばＨＬＲ）には以下の機能を新規追加しておき、第２のデータベース（例えばＶＬＲ）方式における加入者プロファイルのダウンロードの回数を削減し、処理負荷の軽減を行なう。
▲１▼加入者の移動経路（移動した第２のデータベースの履歴）、各第２のデータベースの在圏時間と在圏回数を記録し統計結果を分析して加入者の移動予測を行なう機能
▲２▼システムの処理負荷が少ない時に加入者プロファイルのダウンロードを行なう時間差ダウンロード機能
▲３▼契約時の在圏申請により、在圏申請された第２のデータベース（加入者プロファイルが既にダウンロードされている第２のデータベース）のみ、位置登録時の加入者プロファイルのダウンロードを停止する機能
（１）図１は第１の発明の原理を示すフローチャートである。この発明は、第１のデータベースに格納された加入者プロファイルを第２のデータベースにダウンロードして、該第２のデータベースに対応する基地局を介した通信の処理を行なう移動体通信システムの制御方法において、加入者端末の在圏情報を収集し（ステップ１）、前記在圏情報により在圏回数又は在圏時間が所定の数を超えるエリアの基地局に対応する第２のデータベースに対して前記加入者端末に関する加入者プロファイルを第１のデータベースからダウンロードする（ステップ２）、ことを特徴とする。
【００１１】
このように構成すれば、在圏回数の多い第２のデータベースに対して予め加入者プロファイルをダウンロードしておくことができるので、ダウンロードの回数が減り、第１のデータベース及び第２のデータベースの処理負荷を軽減させることができる。
（２）図２は第２の発明の原理を示すフローチャートである。この発明は、第１のデータベースと複数の第２のデータベースが接続されたシステムにおいて、第１のデータベースにて加入者の第２のデータベースの移動経路と移動時間を解析することにより、次に移動する第２のデータベースを予測し（ステップ１）、該当する第２のデータベースに対して加入者プロファイルをダウンロードする（ステップ２）、ことを特徴とする。
【００１２】
このように構成すれば、加入者の第２のデータベースの移動経路と移動時間を解析して、次に移動する第２のデータベースを予測し、当該第２のデータベースに予め加入者プロファイルをダウンロードしておくことで、ダウンロードの回数が減り、第１のデータベース及び第２のデータベースの処理負荷を軽減させることができる。
（３）図３は第３の発明の原理を示すフローチャートである。この発明は、第１のデータベースに格納された加入者プロファイルを第２のデータベースにダウンロードして、該第２のデータベースに対応する基地局を介した通信の処理を行なう移動体通信システムの制御方法であって加入者端末が他の第２のデータベースに対応するエリアに移動したことを検出すると移動前におけるエリアに対応する第２のデータベースについて該端末の加入者データの保持を保証しないものにおいて、ある加入者端末について在圏回数、在圏時間が所定の基準を超えるエリアに対応する第２のデータベースを特定し（ステップ１）、該特定された第２のデータベースにダウンロードした該加入者端末の加入者プロファイルについては該端末が他の第２のデータベースに対応するエリアに移動したことを検出しても記憶を保持する（ステップ２）、ことを特徴とする。
【００１３】
このように構成すれば、在圏回数の多い第２のデータベースに予め加入者プロファイルを常駐させておくことで、加入者プロファイルのダウンロード回数を減らすことができ、第１のデータベース及び第２のデータベースの処理負荷を軽減させることができる。
（４）請求項４記載の発明は、システムの処理負荷が所定の基準を下まわる場合に、第２のデータベースへのダウンロードを行なうことを特徴とする。
【００１４】
このように構成すれば、第１のデータベースの処理負荷を軽減させることができる。
【００１５】
【発明の実施の形態】
以下、図面を参照して本発明の実施の形態例を詳細に説明する。
図４は本発明の第１の実施の形態例の動作説明図である。図１２と同一のものは、同一の符号を付して示す。図において、１は第１のデータベースの例としてのＨＬＲ、３’は該ＨＬＲ１と接続される複数の第２のデータベースの例としてのＶＬＲ、４は移動端末である。図では、ＶＬＲ３’としてＶＬＲ１〜ＶＬＲ３までの３個設けた場合を示しているが、これに限るものではない。Ｚは無線ゾーンである。このように構成されたシステムの動作を説明すれば、以下の通りである。
【００１６】
ＨＬＲ１は、加入者の各ＶＬＲの在圏時間、在圏回数を収集し、統計をとる。この移動予測には、定期予測機能と常時予測機能とがある。
（ａ）定期予測機能
以下の▲１▼加入者の移動経路の記録機能と、▲２▼各ＶＬＲの在圏時間と在圏回数の記録機能にて記録された移動経路、各ＶＬＲでの在圏時間、在圏回数を基に移動パターンを定期的に解析することにより、頻繁に在圏するＶＬＲを特定し、予め加入者プロファイルのダウンロードを行なうＶＬＲを特定する。
▲１▼加入者の移動経路の記録機能
ＨＬＲにてＶＬＲからの位置登録信号を基に移動したＶＬＲ番号（ＶＬＲを認識できる番号）を記録することにより、移動経路を把握する（在圏したＶＬＲ全てについて記録を行なう）。
▲２▼各ＶＬＲの在圏時間と在圏回数の記録機能
ＨＬＲにて、上記▲１▼で記録した各ＶＬＲからの位置登録信号を基に各ＶＬＲの在圏時間を計測し記録する。また、在圏回数についてもカウントし記録する。
（ｂ）常時予測機能
上記▲１▼で記録されたＶＬＲ番号の内、新しい記録から２，３個前のＶＬＲ番号を解析し、移動経路を把握することにより、移動手段（例えば新幹線で移動中か、自動車で移動中か等の判断が可能になる）を特定し、それ以降、移動するであろうＶＬＲに予めダウンロードを実施する。
【００１７】
このような統計的手法を用いることにより、在圏時間、在圏回数の多いＶＬＲを特定する。図４の場合、ＶＬＲ１〜ＶＬＲ３が在圏時間、在圏回数の多いＶＬＲであったものとする。そこで、ＨＬＲ１は、在圏回数の多いＶＬＲ１〜ＶＬＲ３に対して、予め加入者プロファイルをダウンロードしておく。
【００１８】
このようにすれば、在圏回数の多いＶＬＲに対して予め加入者プロファイルをダウンロードしておくことができるので、ダウンロードの回数が減り、ＨＬＲ及びＶＬＲの処理負荷を軽減させることができる。
【００１９】
この場合において、ＨＬＲ１は、システムの処理負荷が低い時に各ＶＬＲ３’に対して加入者プロファイルのダウンロードを行なうようにすることができる（時間差ダウンロード機能）。このようにすれば、ＨＬＲの処理負荷を軽減させることができる。
【００２０】
また、ＨＬＲ１は、加入者プロファイル２の内容が変更された時には、その都度、該当するＶＬＲに加入者プロファイル２をダウンロードを行なうようにする。このようにすれば、加入者プロファイルが変更された時にも、対応することができる。
【００２１】
図５は本発明の第２の実施の形態例の動作説明図である。図４、図１２と同一のものは、同一の符号を付して示す。図において、１はＨＬＲ、３’はＶＬＲ、４は移動端末、Ｚは無線ゾーンである。図では、ＶＬＲ３’としてＶＬＲ１〜ＶＬＲ３まで存在する場合を示すが、これに限るものではない。また、移動端末４の数も図示の数に限定されるものではない。このように構成されたシステムの動作を説明すれば、以下の通りである。
【００２２】
図４に示す動作により、予め各ＶＬＲ１〜ＶＬＲ３に加入者プロファイルがダウンロードされている場合について説明する。移動端末４が図に示すようにゾーンＺを変更しながら移動しているものとする。この場合において、各ＶＬＲ３’から位置登録要求があったものとする。この時に、ＨＬＲ１は在圏位置を収集し、データを蓄積し、既にダウンロード済みのＶＬＲからの位置登録要求の場合、加入者プロファイル２のダウンロードは行なわない。従って、ＨＬＲ１のダウンロードの回数を削減しシステムの処理負荷を軽減させることができる。
【００２３】
例えば、配達業務のように、ある一定の地域を走り回るような加入者の場合、隣り合うＶＬＲ若しくは複数のＶＬＲを頻繁に移動するため、それらのＶＬＲに対して予め加入者プロファイルをダウンロードしておくことにより、ダウンロード回数を削減することができる。
【００２４】
図６は本発明の第３の実施の形態例の動作説明図である。図５と同一のものは、同一の符号を付して示す。図において、１はＨＬＲ、３’はＶＬＲ、４は移動端末、Ｚ無線ゾーンである。このように構成されたシステムの動作を説明すれば、以下の通りである。
【００２５】
この実施の形態例では、ＶＬＲ４が別に設けられている。図５に示す実施の形態例では、既にダウンロード済みのＶＬＲからの位置登録要求の場合には加入者プロフィルのダウンロードは行なわなかった。これに対して、ＨＬＲ１では、図に示すＶＬＲ４が位置登録要求をしてきた時に、まだ加入者プロフィルをダウンロードしていないものであった場合には、加入者プロフィルのダウンロードを通常通り行なう。
【００２６】
日本のような交通手段が整備されているような場合は、移動パターンを把握することは難しいことではなく、ＨＬＲにて加入者の移動経路と移動時間を解析することにより、次に移動するＶＬＲを予測して、該当するＶＬＲに対して予め（在圏する前に）加入者プロファイルをダウンロードしておくことが可能である。
【００２７】
図７は本発明の第４の実施の形態例の動作説明図である。図６と同一のものは、同一の符号を付して示す。図において、１はＨＬＲ、３’は該ＨＬＲ１と接続されているＶＬＲである。図では、ＶＬＲ１０〜ＶＬＲ１４までが接続されている場合を示す。４は移動端末、Ｚは無線ゾーンである。このように構成されたシステムの動作を説明すれば、以下の通りである。
【００２８】
ＨＬＲ１では、加入者の移動経路と移動時間を解析することにより、在圏が予想されるＶＬＲを特定し、ＨＬＲの使用率の低い時にそれらのＶＬＲに対して加入者プロファイルのダウンロードを行なう。また、加入者プロファイルが変更された時には、その都度、該当するＶＬＲに加入者プロファイルのダウンロードを行なう。図では、ＶＬＲ１２〜ＶＬＲ１４に在圏が予想されるので、ＨＬＲ１からこれらＶＬＲに対して予め加入者プロファイルをダウンロードしておく。
【００２９】
このようにすれば、加入者のＶＬＲの移動経路と移動時間を解析して、次に移動するＶＬＲを予測し、当該ＶＬＲに予め加入者プロファイルをダウンロードしておくことで、ダウンロードの回数が減り、ＨＬＲ及びＶＬＲの処理負荷を軽減することができ、システムの処理負荷が軽減する。
【００３０】
例えば、新幹線で移動する加入者の場合、移動するＶＬＲは決まっており、どのＶＬＲに在圏するかが特定できるので、それらのＶＬＲに予め加入者プロファイルをダウンロードしておくことにより、同時期に発生するダウンロードの回数を削減することができる。
【００３１】
図８は本発明の第５の実施の形態例の動作説明図である。図７と同一のものは、同一の符号を付して示す。図において、１はＨＬＲ、３’はＨＬＲ１と接続されるＶＬＲである。４は移動端末、Ｚは無線ゾーンである。このように構成されたシステムの動作を説明すれば、以下の通りである。
【００３２】
この実施の形態例は、加入者の契約時に、最も在圏する可能性があるＶＬＲについて在圏申請をしてもらうことにより、在圏時間の多いＶＬＲを特定し、加入者プロファイルを常駐しておくようにしたものである。
【００３３】
ＨＬＲ１では、各ＶＬＲからの位置登録信号により、どのＶＬＲからの位置登録信号かを判定し、在圏申請されたＶＬＲ３の場合には、加入者プロファイルのダウンロードは行なわない。
【００３４】
このようにしておけば、位置登録時に加入者プロファイルをダウンロードする必要がなく、加入者プロファイルの変更時のみのダウンロードとなるため、ダウンロード回数を減少させることができ、ＨＬＲ及びＶＬＲの処理負荷を軽減させることができる。
【００３５】
この実施の形態例において、位置登録信号により、ＶＬＲを判別し、加入者プロファイルが常駐しているＶＬＲにはダウンロードを行なわないようにしている。
【００３６】
次に、ダウンロードした加入者プロファイルの削除機能について説明する。加入者プロファイルの削除機能については以下の方法があげられる。
▲１▼周期監視による加入者プロファイルの削除機能
一定時間毎に周期で監視し、監視時に加入者が在圏していないことを確認し、加入者プロファイルを削除する機能。この機能は、主として前述した定期予測機能実施時に使用される。
▲２▼タイマ制御による加入者プロファイルの削除機能
加入者プロファイルをダウンロード時に、加入者プロファイルを一定時間保持するようにタイマを設定し、タイマ満了時に加入者が在圏していないことを確認し、加入者プロファイルを削除する機能。この機能は、主として常時予測機能実施時に使用される。
【００３７】
図９は通常の位置登録シーケンス例を示す図である。図において、ＭＳは移動端末、ＳＧＳＮ（Ｓｅｒｖｉｎｇ　ＧＰＲＳ　Ｓｕｐｐｏｒｔ　Ｎｏｄｅ）はパケットサポートノード、ＭＳＣ／ＶＬＲにおけるＭＳＣ（Ｍｏｂｉｌｅ　Ｓｅｒｖｉｃｅｓ　Ｓｗｉｔｃｈｉｎｇ　Ｃｅｎｔｒｅ）は交換機のことである。ここでは、ＭＳＣとＶＬＲを一体のものとしてＭＳＣ／ＶＬＲと表している。ＳＧＳＮはｎｅｗ（新）とｏｌｄ（旧）の２種類が存在する。この図を用いて、通常の位置登録シーケンスを以下に説明する。図の破線で囲った部分が加入者プロファイルのダウンロードシーケンスである。
１．ＭＳは新ＳＧＳＮに移動すると、新ＳＧＳＮに対してＲｏｕｔｉｎｇ　Ａｒｅａ　Ｕｐｄａｔｅ　Ｒｅｑｕｅｓｔ信号を送出する。
２．新ＳＧＳＮは、Ｒｏｕｔｉｎｇ　Ａｒｅａ　Ｕｐｄａｔｅ　Ｒｅｑｕｅｓｔ信号より、旧ＳＧＳＮを判定し、ＳＧＳＮ　Ｃｏｎｔｅｘｔ　Ｒｅｑｕｅｓｔ信号を旧ＳＧＳＮに送信し、応答（ＳＧＳＮ　Ｃｏｎｔｅｘｔ　Ｒｅｓｐｏｎｓｅ）として加入者の呼制御信号を取得する。
３．新ＳＧＳＮは、ＭＳにＳｅｃｕｒｉｔｙ　Ｆｕｎｃｔｉｏｎｓを送出し、ＭＳの認証処理を行なう。
４．認証完了により、新ＳＧＳＮは、旧ＳＧＳＮにＳＧＳＮ　Ｃｏｎｔｅｘｔ　Ａｃｋｎｏｗｌｅｄｇｅ信号を送信する。
５．新ＳＧＳＮは、Ｕｐｄａｔｅ　Ｌｏｃａｔｉｏｎ信号をＨＬＲに送出し、新ＳＧＳＮの番号を通知する。
６．ＨＬＲは、旧ＳＧＳＮにＣａｎｃｅｌ　Ｌｏｃａｔｉｏｎ信号を送出し、旧ＳＧＳＮの加入者プロファイルをクリアする。旧ＳＧＳＮからはＨＬＲに対してＣａｎｃｅｌ　Ｌｏｃａｔｉｏｎ　Ａｃｋが返される。
７．ＨＬＲは、新ＳＧＳＮにＩｎｓｅｒｔ　Ｓｕｂｓｃｒｉｂｅｒ　Ｄａｔａ信号を送出し、加入者プロファイルを新ＳＧＳＮにダウンロードする。新ＳＧＳＮからは、ＨＬＲに対してＩｎｓｅｒｔ　Ｓｕｂｓｃｒｉｂｅｒ　Ａｃｋが返される。
８．ＨＬＲは、Ｕｐｄａｔｅ　Ｌｏｃａｔｉｏｎ　Ａｃｋｎｏｗｌｅｄｇｅ信号を新ＳＧＳＮに送信する。
９．新ＳＧＳＮは、新ＭＳＣ／ＶＬＲにＬｏｃａｔｉｏｎ　Ｕｐｄａｔｅ　Ｒｅｑｕｅｓｔ信号を送信する。
１０．新ＭＳ／ＶＬＲに新ＳＧＳＮと同様の手順で、ＨＬＲより加入者プロファイルをダウンロードする。つまり、新ＭＳＣ／ＶＬＲからＨＬＲにＵｐｄａｔｅＬｏｃａｔｉｏｎが送信され、ＨＬＲは旧ＭＳＣ／ＶＬＲにＣａｎｃｅｌ　Ｌｏｃａｔｉｏｎを送出する。旧ＭＳＣ／ＶＬＲからはＨＬＲに対してＣａｎｃｅｌ　Ｌｏｃａｔｉｏｎ　Ａｃｋが返される。
【００３８】
次に、ＨＬＲからは新ＭＳＣ／ＶＬＲに対してＩｎｓｅｒｔ　Ｓｕｂｓｃｒｉｂｅｒ　Ｄａｔａが送出され、ダウンロードが行なわれる。新ＭＳＣ／ＶＬＲからはＨＬＲに対してＩｎｓｅｒｔ　Ｓｕｂｓｃｒｉｂｅｒ　Ｄａｔａ　Ａｃｋが返される。ＨＬＲは、新ＭＳＣ／ＶＬＲに対してＵｐｄａｔｅ　Ｌｏｃａｔｉｏｎ　Ａｃｋを返す。
１１．新ＭＳＣ／ＶＬＲから新ＳＧＳＮに対してＬｏｃａｔｉｏｎ　Ｕｐｄａｔｅ　Ａｃｃｅｐｔが送出される。
１２．新ＳＧＳＮは、ＭＳにＲｏｕｔｉｎｇ　Ｕｐｄａｔｅ　Ａｃｃｅｐｔを送信し、位置登録処理が完了したことを通知する。ＭＳから新ＳＧＳＮに対してＲｏｕｔｉｎｇ　Ａｒｅａ　Ｕｐｄａｔｅ　Ｃｏｍｐｌｅｔｅが送信される。
１３．新ＳＧＳＮは、ＴＭＳＩ　Ｒｅａｌｌｏｃａｔｉｏｎ　Ｃｏｍｐｌｅｔｅ信号を送信し、ＭＳが確認したことを通知する。
【００３９】
この発明においては、以下の理由により、位置登録時には破線で囲った部分のシーケンスが不要となる。
ＨＬＲから新ＭＳＣ／ＶＬＲに加入者プロファイルをダウンロードするためのＩｎｓｅｒｔ　Ｓｕｂｓｃｒｉｂｅｒ　Ｄａｔａ信号は、在圏するＶＬＲに事前に加入者プロファイルがダウンロードされている場合は、加入者プロファイルのダウンロードは不必要なので、送出は不要となる。ＶＬＲに事前に加入者プロファイルがダウンロードされているかどうかは、ＨＬＲにて管理されているため、Ｉｎｓｅｒｔ　Ｓｕｂｓｃｒｉｂｅｒ　Ｄａｔａ信号の送出を止めることが可能となる。
【００４０】
また、ＨＬＲから旧ＭＳＣ／ＶＬＲに送信される、加入者プロファイルを無効とするためのＣａｎｃｅｌ　Ｌｏｃａｔｉｏｎ信号については、予め加入者プロファイルがダウンロードされているＶＬＲの場合は、周期及びタイマにて加入者プロファイルをダウンロードされているかどうかは、ＨＬＲにて管理されているため、該当するＶＬＲの認識は可能である。
【００４１】
図１０は本発明の位置登録シーケンス例を示す図である。以下、位置登録シーケンスについて説明する。
１．ＭＳは新ＳＧＳＮに移動すると、新ＳＧＳＮに対してＲｏｕｔｉｎｇ　Ａｒｅａ　Ｕｐｄａｔｅ　Ｒｅｑｕｅｓｔ信号を送出する。
２．新ＳＧＳＮは、Ｒｏｕｔｉｎｇ　Ａｒｅａ　Ｕｐｄａｔｅ　Ｒｅｑｕｅｓｔ信号より、旧ＳＧＳＮを判定し、ＳＧＳＮ　Ｃｏｎｔｅｘｔ　Ｒｅｑｕｅｓｔ信号を旧ＳＧＳＮに送信し、応答として加入者の呼制御情報を取得する。
３．新ＳＧＳＮはＭＳにＳｅｃｕｒｉｔｙ　Ｆｕｎｃｔｉｏｎｓ信号をやりとりし、ＭＳの認証処理を行なう。
４．認証完了により、新ＳＧＳＮは、旧ＳＧＳＮにＳＧＳＮ　Ｃｏｎｔｅｘｔ　Ａｃｋｎｏｗｌｅｄｇｅ信号を送信する。
５．新ＳＧＳＮは、Ｕｐｄａｔｅ　Ｌｏｃａｔｉｏｎ信号をＨＬＲに送出し、新ＳＧＳＮの番号を通知する。
６．ＨＬＲは、旧ＳＧＳＮに対してＣａｎｃｅｌ　Ｌｏｃａｔｉｏｎ信号を送出し、旧ＳＧＳＮ上の加入者プロファイルをクリアする。旧ＳＧＳＮからＨＬＲに対してＣａｎｃｅｌ　Ｌｏｃａｔｉｏｎ　Ａｃｋが返る。
７．ＨＬＲは、新ＳＧＳＮにＩｎｓｅｒｔ　Ｓｕｂｓｃｒｉｂｅｒ　Ｄａｔａ信号を送出し、加入者プロファイルを新ＳＧＳＮにダウンロードする。新ＳＧＳＮからＨＬＲに対してＩｎｓｅｒｔ　Ｓｕｂｓｃｒｉｂｅｒ　Ｄａｔａ　Ａｃｋが返る。
８．ＨＬＲは、Ｕｐｄａｔｅ　Ｌｏｃａｔｉｏｎ　Ａｃｋｎｏｗｌｅｄｇｅ信号を新ＳＧＳＮに送出する。
９．新ＳＧＳＮは、新ＭＳＣ／ＶＬＲに対してＬｏｃａｔｉｏｎ　Ｕｐｄａｔｅ
Ｒｅｑｕｅｓｔ信号を送信する。
１０ａ．新ＭＳＣ／ＶＬＲは、ＨＬＲにＵｐｄａｔｅ　Ｌｏｃａｔｉｏｎ信号を送信する。
１０ｂ．ＨＬＲは、通常、旧ＭＳＣ／ＶＬＲに加入者プロファイルを削除するため、Ｃａｎｃｅｌ　Ｌｏｃａｔｉｏｎ信号を送出し、旧ＭＳＣ／ＶＬＲからＣａｎｃｅｌ　Ｌｏｃａｔｉｏｎ　Ａｃｋを受けるが、旧ＭＳＣ／ＶＬＲに加入者プロファイルを残す場合（再度在圏する可能性が高いＭＳＣ／ＶＬＲの場合）は、Ｃａｎｃｅｌ　Ｌｏｃａｔｉｏｎ信号は送出しない（Ｓ１）。
１０ｃ．ＨＬＲは、通常、新ＭＳＣ／ＶＬＲに加入者プロファイルをダウンロードするため、Ｉｎｓｅｒｔ　Ｓｕｂｓｃｒｉｂｅｒ　Ｄａｔａ信号を送出し、Ｉｎｓｅｒｔ　Ｓｕｂｓｃｒｉｂｅｒ　Ｄａｔａ　Ａｃｋを受けるが、既に加入者プロファイルがダウンロードされている場合には、Ｉｎｓｅｒｔ　Ｓｕｂｓｃｒｉｂｅｒ　Ｄａｔａ信号を送出しない（Ｓ２）。この結果、シーケンスはＳ１からＳ２に速やかに移動するので、処理が簡略化され、システムの処理負担が軽減される。
１０ｄ．ＨＬＲは、新ＭＳＣ／ＶＬＲにＵｐｄａｔｅ　Ｌｏｃａｔｉｏｎ　Ａｃｋｎｏｗｌｅｄｇｅ信号を送出する。
１１．新ＭＳＣ／ＶＬＲは、新ＳＧＳＮにＬｏｃａｔｉｏｎ　Ｕｐｄａｔｅ　Ａｃｃｅｐｔを送信する。
１２．新ＳＧＳＮは、ＭＳにＲｏｕｔｉｎｇ　Ａｒｅａ　Ｕｐｄａｔｅ　Ａｃｃｅｐｔを送信し、位置登録処理が完了したことを通知する。
１３．新ＳＧＳＮは、ＴＭＳＩ　Ｒｅａｌｌｏｃａｔｉｏｎ　Ｃｏｍｐｌｅｔｅ信号を新ＭＳＣ／ＶＬＲに送信し、ＭＳが確認したことを通知する。
【００４２】
本発明によれば、加入者が頻繁に在圏するＶＬＲ及び、在圏が予想されるＶＬＲにおいて、事前に加入者プロファイルがダウンロードされ、一定時間の間、加入者ファイルが保持されるので、Ｃａｎｃｅｌ　Ｌｏｃａｔｉｏｎ信号及びＩｎｓｅｒｔ　Ｓｕｂｓｃｒｉｂｅｒ　Ｄａｔａ信号の送出が不要となる。このため、位置登録時には４個の信号が削減されることになり、加入者のダウンロード回数が制限され、ＨＬＲ及びＶＬＲの処理負荷を軽減することが可能となる。
【００４３】
上述の実施の形態例では、第１のデータベースとしてＨＬＲ、第２のデータベースとしてＶＬＲを用いた場合を例にとったが、本発明はこれに限るものではなく、その他の種類のデータベースにも同様に適用することができる。
【００４４】
【発明の効果】
以上説明したように、本発明によれば以下の効果が得られる。
（１）請求項１記載の発明によれば、在圏回数の多い第２のデータベースに対して予め加入者プロファイルをダウンロードしておくことができるので、ダウンロードの回数が減り、第１のデータベース及び第２のデータベースの処理負荷を軽減させることができる。
（２）請求項２記載の発明によれば、加入者の第２のデータベースの移動経路と移動時間を解析して、次に移動する第２のデータベースを予測し、当該第２のデータベースに予め加入者プロファイルをダウンロードしておくことで、ダウンロードの回数が減り、第１のデータベース及び第２のデータベースの処理負荷を軽減させることができる。
（３）請求項３記載の発明によれば、在圏回数の多い第２のデータベースに予め加入者プロファイルを常駐させておくことで、加入者プロファイルのダウンロード回数を減らすことができ、第１のデータベース及び第２のデータベースの処理負荷を軽減させることができる。
（４）請求項４記載の発明によれば、第１のデータベースの処理負荷を軽減させることができる。
【００４５】
このように、本発明によれば、第２のデータベース方式において、加入者プロファイルのダウンロードの回数を減らして第１のデータベース及び第２のデータベースの処理負荷を軽減させることができる移動体通信システムの制御方法を提供することができる。
【図面の簡単な説明】
【図１】第１の発明の原理を示すフローチャートである。
【図２】第２の発明の原理を示すフローチャートである。
【図３】第３の発明の原理を示すフローチャートである。
【図４】本発明の第１の実施の形態例の動作説明図である。
【図５】本発明の第２の実施の形態例の動作説明図である。
【図６】本発明の第３の実施の形態例の動作説明図である。
【図７】本発明の第４の実施の形態例の動作説明図である。
【図８】本発明の第５の実施の形態例の動作説明図である。
【図９】通常の位置登録シーケンス例を示す図である。
【図１０】本発明の位置登録シーケンス例を示す図である。
【図１１】ＨＬＲ方式の説明図である。
【図１２】ＶＬＲ方式の説明図である。
【符号の説明】
１　ＨＬＲ
３’　ＶＬＲ
４　移動端末
Ｚ　無線ゾーン
【図１】
2004032643.tif 000003
【図２】
2004032643.tif 000004
【図３】
2004032643.tif 000005
【図４】
2004032643.tif 000006
【図５】
2004032643.tif 000007
【図６】
2004032643.tif 000008
【図７】
2004032643.tif 000009
【図８】
2004032643.tif 000010
【図９】
2004032643.tif 000011
【図１０】
2004032643.tif 000012
【図１１】
2004032643.tif 000013
【図１２】
2004032643.tif 000014